【手続補正書】
【提出日】平成15年8月26日(2003.8.26)
【手続補正１】
【補正対象書類名】明細書
【補正対象項目名】全文
【補正方法】変更
【補正の内容】
【発明の名称】パチンコゲーム機
【特許請求の範囲】
【請求項１】  裏面に位置決孔を有する遊技盤と、前記位置決孔に嵌合する位置決突起を突設した取付部材とを備えたパチンコゲーム機において、
前記位置決突起は、その基部に於いて前記位置決孔に整合した形状であり、かつ、その先端部分においてテーパー状に面取りされ、
前記遊技盤は、裏面に位置決孔を有し、前記取付部材は、前記遊技盤の入賞口から入った入賞玉を前記遊技盤の裏面で案内する裏樋部材であり、
前記位置決孔は円柱形状であり、また、前記位置決突起はその基部に於いて円柱形状に形成され、かつその先端部において円錐台形状に形成されていることを特徴とするパチンコゲーム機。
【請求項２】前記位置決孔は二つ設けられ、一の位置決孔は円柱状の孔であり、他の位置決孔の形状は長孔であることを特徴とする請求項１に記載のパチンコゲーム機。
【発明の詳細な説明】
【０００１】
【発明の属する技術分野】
本発明はパチンコゲーム機に関し、詳しくは、遊技盤に取付部材を位置合わせして固定するときに、確実かつ容易に固定できる構造を有するパチンコゲーム機に関する。
【０００２】
【従来の技術】
従来、パチンコゲーム機の遊技盤の表面には、通常入賞口、始動入賞口、役物入賞口等が設けられ、各々の入賞口から入賞した入賞玉は、遊技盤の裏面に取り付けられた裏樋部材により、誘導路に従って流下されている。従って、各入賞口から入賞した入賞玉を適切に誘導するために、裏樋部材は遊技盤の裏面に対して正確な位置に取り付ける必要があった。この裏樋部材の遊技盤への取り付け構造については、特開平２−７４２７６号公報に開示のものが知られている。
【０００３】
特開平２−７４２７６号公報に開示のパチンコゲーム機では、図１３に示すように、ベニヤ板の厚板からなる遊技盤６１の裏面に半透明の合成樹脂製の裏樋部材５１が図示外のビスまたはタッカー（ステープル）によって固定されている。ここで、遊技盤６１の裏面には、裏樋部材５１を正確に位置決めするために円柱状の位置決孔６２が左右一対形成され、裏樋部材５１には、図１４に示すように、円柱状の位置決突起５２が左右一対形成されている。図１３に示すように、この位置決突起５２を前記遊技盤６１の位置決孔６２に各々嵌合させることによって、裏樋部材５１を遊技盤６１に正確に位置決めして、図示外のビス又はタッカー（ステープル）によって固定していた。
【０００４】
【発明が解決しようとする課題】
しかしながら、特開平２−７４２７６号公報に開示のパチンコゲーム機では、図１５に示すように、遊技盤６１の裏面に左右一対設けられている位置決孔６２が円柱状の形状であり、また、図１６に示すように、裏樋部材５１に突設している位置決突起５２も円柱状の形状であるので、位置決突起５２の間隔や形状に少しでも狂いが生じると、遊技盤６１の位置決孔６２に位置決突起５２が挿入しにくく、位置決めが難しいという問題点があった。
【０００５】
この問題点を解決するために、図１７及び図１８に示すように、位置決突起５２の形状を円錐台形状にして、位置決孔６２に挿入しやすくすることも考えられるが、位置決突起５２を円錐台形状にすると、位置決孔６２に挿入はしやすくなるが、位置決突起５２の側面が総てテーパー状になっているため、位置決孔６２の内側壁部６２ａと係合する部分が少なく、図１９に示すように位置決突起５２と位置決孔６２の間に隙間５３が生じて、嵌合が不安定になり、がたが生じて、裏樋部材５１が遊技盤６１の正確な位置に固定できないという問題があった。
【０００６】
なお、上記の問題点は、裏樋部材に限らず、遊技盤に取り付けられる総ての取付部材の位置決め作業において生じていた。
【０００７】
そこで、本発明では、上記の問題点を解決するために、遊技台の裏面に取り付けられる取付部材を遊技盤に正確に位置決めすることのできるパチンコゲーム機を提供することを目的とする。
【０００８】
【課題を解決するための手段】
上記の目的を達成するために、請求項１に記載のパチンコゲーム機では、裏面に位置決孔を有する遊技盤と、前記位置決孔に嵌合する位置決突起を突設した取付部材とを備えたパチンコゲーム機において、前記位置決突起は、その基部において前記位置決孔に整合した形状であり、かつ、その先端部分においてテーパー状に面取りされ、前記遊技盤は、裏面に位置決孔を有し、前記取付部材は、前記遊技盤の入賞口から入った入賞玉を前記遊技盤の裏面で案内する裏樋部材であり、前記位置決孔は円柱形状であり、また、前記位置決突起はその基部に於いて円柱形状に形成され、かつその先端部において円錐台形状に形成されていることを特徴とする構成となっている。
【０００９】
なお、ここでいう「整合した形状」とは、位置決突起を位置決孔に挿入したときに、がたつきを生じないように嵌合させることができるように形状及び寸法が形成されていることをいう。
【００１０】
【００１１】
【００１２】
請求項２に記載のパチンコゲーム機では、請求項１に記載の発明の構成に加えて、前記位置決孔は二つ設けられ、一の位置決孔は円柱状の孔であり、他の位置決孔は長孔であることを特徴とする構成となっている。ここで、「長孔」とは、位置決孔の開口径が何れかの方向に長径に形成され、当該方向と直交する方向において短径に形成されていることをいう。従って、位置決孔の開口径が左右方向に長径を有するものの他、上下方向に長径を有するもの、斜め方向に長径を有するもの等の総てを含む概念である。
【００１３】
上記の構成を有するパチンコゲーム機は以下の作用を生じる。即ち、請求項１に記載の発明のパチンコゲーム機では、裏面に位置決孔を有する遊技盤に対して、取付部材を取り付ける時に、取付部材に設けられている位置決突起を、遊技盤の裏面に設けられている位置決孔に挿入して位置決めを行う。このとき、前記位置決突起は、その基部において前記位置決孔に整合した形状であり、かつ、その先端部分においてテーパー状に面取りされているので、遊技盤の位置決孔に容易に挿入でき、また、挿入後においては、位置決突起の基部が位置決孔と整合して嵌合するので、がたつき等が生ぜずに安定する。この状態で、前記取付部材は遊技盤にビス又はタッカー（ステープル）等の固定手段によって固定されるので、取付部材が遊技盤に対して正確な位置に固定される。
【００１４】
さらに、請求項１に記載の発明のパチンコゲーム機では、裏面に位置決孔を有する遊技盤に対して、前記入賞口から入った入賞玉を前記遊技盤の裏面で案内する裏樋部材を取り付けるときに、裏樋部材に設けられている位置決突起を、遊技盤の裏面に設けられている位置決孔に挿入して位置決めを行う。このとき、前記位置決突起は、その基部に於いて前記位置決孔に整合した形状であり、かつ、その先端部分においてテーパー状に面取りされているので、遊技盤の位置決孔に容易に挿入でき、また、挿入後においては、位置決突起の基部が位置決孔と整合して嵌合し、がたつきを生じることがなく安定する。この状態で、裏樋部材は遊技盤にビス又はタッカー（ステープル）で固定されるので、裏樋部材が遊技盤に対して正確な位置に固定される。
【００１５】
さらに、請求項１に記載の発明のパチンコゲーム機では、前記位置決孔は円柱形状であり、また、前記位置決突起はその基部に於いて円柱形状に形成され、かつその先端部において円錐台形状に形成されているので、位置決突起の先端の円錐台形状により、位置決孔に容易に挿入でき、位置決突起の基部の円柱形状部分を位置決孔の円柱形状部分が確実に保持し、位置決突起が位置決孔に対してがたつかず安定する。
【００１６】
さらに、請求項２に記載のパチンコゲーム機では、二つ設けられている位置決孔の内の一の位置決孔は円柱状の孔であり、他の位置決孔の形状は長孔であるので、裏樋部材にそり等が生じて、２つ設けられている位置決突起の間隔に狂いがかなり生じても、位置決突起の間隔の狂いにかかわらず、位置決突起を位置決孔に容易に挿入することができ、また、挿入後においては、位置決突起の基部が位置決孔と整合して嵌合し、がたつきを生じることがなく安定する。
【００１７】
【発明の実施の形態】
次に、本発明の一実施の形態であるパチンコゲーム機を図面を参照して説明する。図１は、本実施の形態のパチンコゲーム機を構成する遊技盤１の裏面に裏樋２を取り付けた状態を示す図である。ここで、前記裏樋２は下部用の裏樋部材であり、図１には図示しないが、裏樋２の上方には、図示外の上部用の裏樋部材が固定される。
【００１８】
先ず、図２を参照して、裏樋２が取り付けられる遊技盤１の構造について説明する。図２は遊技盤１の裏面を示す図である。遊技盤１は厚板のベニヤ板により形成されており、中央部には、液晶表示盤等のセンター役物取付孔３が開設（切欠）され、該センター役物取付孔３の周囲には、上部から下部に向かって順に、上部通常入賞口取付孔４，５、中間部通常入賞口取付孔６，７、及び下部通常入賞口取付孔８，９が各々左右一対開設されている。また、前記センター役物取付孔３の下部には、当該センター役物取付孔３に取付けられた図示外のセンター役物を動作させるための始動入賞口取付孔が開設され、該始動入賞口取付孔の下部には、いずれの入賞口にも入賞せずに落下した玉を取り入れるアウト玉取入口１１が形成されている。
【００１９】
さらに、前記上部通常入賞口取付孔４と中間部通常入賞口６との間には、円柱形状に穿孔された上部位置決孔１２が形成され、前記上部通常入賞口取付孔５と中間部通常入賞口７との間にも、前記上部位置決孔１２と同一形状に穿孔された上部位置決孔１３が形成されている。ここで、両上部位置決孔１２，１３は水平線上で対称位置に開設されている。
【００２０】
また、下部通常入賞口取付孔８の上部近傍には下部位置決孔１４が円柱形状に穿孔され、下部通常入賞口取付孔９の上部近傍にも下部位置決孔１５が前記下部位置決孔１４と同様の円柱形状に穿孔されれいる。ここで、両下部位置決孔１４，１５は水平線上で対称位置に開設されている
【００２１】
遊技盤１には上記のように各入賞口取付孔が各々開設されているのであるが、この各入賞口取付孔に図示外の入賞口部材が取り付けられて、各入賞口を形成する。この各入賞口から入賞したパチンコ玉やアウト玉取入口１１から入ったパチンコ玉は、前記裏樋２によって誘導案内されて流下する。
【００２２】
次に、図３乃至図５を参照して、裏樋２の構成について説明する。図３は裏樋２を図１に示す図と同じ方向からみた場合の正面図、図４は裏樋２の背面図、図５は図３に示す裏樋２の左側面図である。ここで、裏樋２は、前記各入賞口から入賞したパチンコ玉を遊技盤１の裏面において誘導案内するために設けられている誘導部材であり、透明のＡＢＳ樹脂から構成されているので、一定の弾性を有している。図３及び図４に示すように、裏樋２の中央部には、前記遊技盤１の裏面に平行に当接する中央接触板１６が形成され、また、図３における左上端部には左接触板１７が形成され、右上端部には右接触板１８が形成され、右下端部には右下部接触板３０が平面状に形成されている。
【００２３】
さらに、裏樋２には前記各接触板１６，１７，１８，３０と平行に設けられた上部誘導平板１９，２０が形成され、前記各接触板１６，１７，１８，３０と各上部誘導板１９，２０との間には、入賞玉の誘導路を形成する誘導側壁２１，２２，２３，２４，２５，２６が各々形成されている。この各誘導側壁２１，２２，２３，２４，２５，２６の内部の高さは、入賞した玉をスムーズに流下させるためにパチンコ玉の直径よりやや大きく形成されている。また、ここで、誘導側壁２１と２２により左誘導路２７が形成され、誘導側壁２３と２４により中央誘導路２８が形成され、誘導側壁２５と２６により右誘導路２９が形成されている。これらの各誘導路２７，２８，２９内を前記各入賞口から入賞した玉が流下する。
【００２４】
次に、本実施の形態のポイントとなる位置決突起について図４乃至図６を参照して説明する。裏樋２を遊技盤１に位置合わせするための位置決突起は、図４に示すように、左接触板１７から垂直に遊技盤１方向に突設された左位置決突起３１と、右接触板１８から垂直に遊技盤１方向に突設された右位置決突起３２の二つが同一形状で設けられている。なお、ここでは、裏樋２を背面から見ているために左右が図３と逆である。左位置決突起３１と右位置決突起３２とは、全く同一形状であるので、ここでは、代表して右位置決突起３２について、図６を参照して説明する。
【００２５】
図６は右位置決突起３２の拡大断面図である。右位置決突起３２は、裏樋２の右接触板１８から垂直に突設され、その基部３２ａは円柱状に形成され、その先端部３２ｂにおいて円錐台形状に面取りがなされている。ここで、具体的数値の一例を上げると右接触板１８の厚みを２mmとし、右位置決突起３２の基部３２ａの円柱の外形を１７mmとし、円柱部分の高さを１．５mmとし、円推台の高さを１．５mmとし、面取り部分は４５度の角度（円錐台の母線が底面に接する角度）で面取りすれば、右位置決突起３２の先端部３２ｂの最小外径は１４mmとなる。このとき、当該右位置決突起３２が嵌合する遊技盤１の下部位置決孔１５の内径は１７．５mmとすればよい。この場合には、右位置決突起３２の先端部３２ｂの最小外径と下部位置決孔１５の内径との差は３．５mmであるのに対し、右位置決突起３２の基部３２ａの外径と下部位置決孔１５の内径との差は０．５mmとなる。従って、右位置決突起３２の先端部３２ｂを下部位置決孔１５に挿入するときは挿入し易く、挿入後は、確実に嵌合することができる。
【００２６】
次に本実施の形態のパチンコゲーム機の遊技盤１に裏樋２を取り付ける作業の一例について説明する。裏樋２を遊技盤１に取り付けるときには、先ず、裏樋２の右位置決突起３２を遊技盤１の下部位置決孔１５に挿入し、裏樋２の左位置決突起３１を遊技盤１の下部位置決孔１４に挿入する。このとき、図７の断面図に示すように、各位置決突起３１，３２の先端部は、円錐台形状（テーパー状）に形成されているため先端部の外形が、各下部位置決孔１４，１５の内径に比べて十分小さいため、各位置決突起３１，３２を各下部位置決孔１４，１５に容易に挿入することができる。また。挿入後は、各位置決突起３１，３２の基部の外径が各下部位置決孔１４，１５の内径より極僅かに小さいだけなのでしっかり嵌合し、裏樋２と遊技盤１との間にがたつき等が生じることなく、また、裏樋２が安定し、確実に遊技盤１に位置決めすることができる。その後、裏樋２の中央接触板１６、左接触板１７、右接触板１８にタッカー（ステープル）を打ち込むか、または、ビスにより裏樋２を遊技盤１に確実に固定する。
【００２７】
本発明は上記の実施の形態に限られず、各種の変形が可能であることはいうまでもない。例えば、上記の実施の形態では、位置決突起を中空のパイプ状に形成していたが、図８に示すように、先端部分を閉じた形状の位置決突起３４にしてもよく、また、図９に示すように、ソリッド状にした位置決突起３５にしてもよい。さらに、位置決突起の先端部分は円錐台形状に限られず、角錐台形状でもよく、また、図１０に示すように、先端分とがっている円錐形状又は角錐形状の位置決突起３６であってもよく、さらに、図１１に示すように先端部分が半球形状に形成された位置決突起３７であってもよい。ここで、前記位置決孔は遊技盤１に対して、貫通孔であっても、板厚の途中まで穿孔された孔の何れであってもよい。
【００２８】
また、上記の実施の形態では、裏樋２は上下に２分割されているものについて説明したが、上下で一体構造となっていても本発明が適用できることはいうまでもない。
【００２９】
さらに、上記の実施の形態では、位置決孔は左右で同一の円柱形状に形成されていたが、図１２に示す位置決孔４０，４１のように、左右一対の位置決孔の一方の位置決孔を横長の楕円形状に形成してもよい。このような形状にすることによって、裏樋が大きく反った場合でも位置決突起の位置決孔への挿入が容易になる。
【００３０】
また、上記の実施の形態では、位置決突起と位置決孔は２個ずつ設けられている場合について説明したが、必ずしも２個に限られず、３個、４個、５個、６個等複数であればいくつでも本発明の効果を十分発揮できることはいうまでもない。
【００３１】
さらに、本発明は、裏樋の遊技盤への取り付けのみに限られず、その他の役物等の遊技盤への取り付けにも使用でき、遊技盤への表面又は裏面いずれの面への取り付けでも適用できることは言うまでもない。
また、上記の実施の形態では、位置決突起と位置決孔が複数の場合について説明したが、別の位置決部材（例：分割された一方の裏トイ）があれば、位置決突起と位置決孔が１個ずつでもよい。さらに位置決突起と位置決孔が２個ずつある場合において、それぞれの位置決突起が同一の形状をしていなくとも、少なくとも１つの先端がテーパー状に面取りしてあり、他が位置決めしやすいようにしてあれば、本発明の効果は発揮できる。
【００３２】
【発明の効果】
請求項１に記載の発明のパチンコゲーム機では、裏面に少なくとも１つの位置決孔を有する遊技盤に対して、取付部材を取り付ける時に、取付部材に設けられている位置決突起を、遊技盤の裏面に設けられている位置決孔に挿入して位置決めを行う。このとき、前記位置決突起は、その基部に於いて前記位置決孔に整合した形状であり、かつ、その先端部分においてテーパー状に面取りされているので、遊技盤の位置決孔に容易に挿入でき、位置決めの作業時間を短縮することができる。また、挿入後においては、位置決突起の基部が位置決孔と整合して嵌合するので、位置決孔と位置決突起との間にがたつき等は生ぜずにしっかりと位置決め固定することができる。この状態で、取付部材は遊技盤にビス又はタッカー（ステープル）で固定されるので、取付部材が遊技盤に対して位置ずれを起こすことがなく、正確な位置に固定できる。
【００３３】
さらに、請求項１に記載の発明のパチンコゲーム機では、裏面に少なくとも１つの位置決孔を有する遊技盤に対して、前記入賞口から入った入賞玉を前記遊技盤の裏面で案内する裏樋部材を取り付けるときに、裏樋部材に設けられている位置決突起を、遊技盤の裏面に設けられている位置決孔に挿入して位置決めを行う。このとき、前記位置決突起は、その基部において前記位置決孔に整合した形状であり、かつ、その先端部分においてテーパー状に面取りされているので、遊技盤の位置決孔に容易に挿入でき、裏樋部材の遊技盤への位置決めの作業時間を短縮することができる。また、挿入後においては、位置決突起の基部が位置決孔と整合して嵌合するので、位置決孔と位置決突起との間にがたつき等は生ぜずにしっかりと位置決め固定することができる。この状態で、裏樋部材は遊技盤にビス又はタッカー（ステープル）で固定されるので、裏樋部材が遊技盤に対して位置ずれすることなく正確な位置に固定される。
【００３４】
さらに、請求項１に記載の発明のパチンコゲーム機では、前記位置決孔は円柱形状であり、また、前記位置決突起はその基部に於いて円柱形状に形成され、かつその先端部において円錐台形状に形成されているので、位置決突起の先端の円錐台形状により、位置決孔に容易に挿入でき、位置決突起の基部の円柱形状部分を位置決孔の円柱形状部分が確実に嵌合することができる。従って、位置決突起が位置決孔に対してがたつくことがなく、しっかり固定することができる。また、位置決孔は円柱形状なので、遊技盤に位置決孔を形成するときに、ドリル等の切削機械による加工が容易にできる。さらに、位置決突起の基部は円柱形状であり、かつその先端部分は円錐台形状に形成されているので、樹脂成形時に形成が容易かつ確実にできる。
【００３５】
さらに、請求項２に記載のパチンコゲーム機では、二つ設けられている位置決孔の内、一の位置決孔は円柱状の孔であり、他の位置決孔の形状は長孔であるので、裏樋部材にそり等が生じて、２つ設けられている位置決突起の間隔に狂いが大きく生じても、位置決孔の一方は、長孔に形成されているので、位置決突起の間隔の狂いにかかわらず、位置決突起を容易に挿入することができ、また、挿入後においては、位置決突起の基部が位置決孔と整合して、がたつきを生じることがなく安定する。このとき、長孔に挿入された位置決突起も当該長孔の短径方向においては確実に嵌合されて位置決め固定され、他方の位置決突起は円柱状の位置決孔に嵌合しているので、位置ずれ等の問題は生じない。
【図面の簡単な説明】
【図１】本発明の一実施の形態のパチンコゲーム機を構成する遊技盤の裏面に裏樋を取り付けた状態を示す図である。
【図２】本発明の一実施の形態であるパチンコゲーム機の遊技盤の裏面を示す図である。
【図３】本発明の一実施の形態であるパチンコゲーム機の裏樋の正面図である。
【図４】本発明の一実施の形態であるパチンコゲーム機の裏樋の背面図である。
【図５】本発明の一実施の形態であるパチンコゲーム機の裏樋の側面図である。
【図６】図５に示す裏樋に設けられた位置決突起の拡大断面図である。
【図７】図６に示す位置決突起が遊技盤の位置決孔に嵌合した状態を示す断面図である。
【図８】本発明の他の実施の形態を示す図断面である。
【図９】本発明の他の実施の形態を示す図断面である。
【図１０】本発明の他の実施の形態を示す図断面である。
【図１１】本発明の他の実施の形態を示す図断面である。
【図１２】本発明の他の実施の形態を示す図断面である。
【図１３】従来のパチンコゲーム機に使用される遊技盤と裏樋の断面図である。
【図１４】従来のパチンコゲーム機に使用される裏樋の斜視図である。
【図１５】従来のパチンコゲーム機に使用される遊技盤と裏樋の断面図である。
【図１６】従来のパチンコゲーム機に使用される裏樋の断面図である。
【図１７】従来のパチンコゲーム機に使用される裏樋の断面図である。
【図１８】従来のパチンコゲーム機に使用される裏樋の断面図である。
【図１９】従来のパチンコゲーム機に使用される遊技盤と裏樋の断面図である。
【符号の説明】
１  遊技盤
２  裏樋
１２，１３上部位置決孔
１４，１５下部位置決孔
３１  左位置決突起
３２  右位置決突起